(57)【要約】【課題】  筐体の開口上面に設けた蓋を、開口部の対向する側縁の両側から開閉することができ、且つ簡単に取り外すことができる蓋の取り付け構造を提供する。【解決手段】  蓋ヒンジ部１８には、蓋１４の開閉方向と直交する方向に延びる回転中心ピン２２と、回転中心ピン２２と平行に、所定距離離間して配置された移動ピン２４とが設けられ、筐体ヒンジ部１６には、回転中心ピン２２および移動ピン２４を鉛直方向に導入し、蓋１４を筐体１２にセットした際に、回転中心ピン２２が当接する当接部２０ｂが中途に設けられた導入溝２０と、導入溝２０ｂと連通し、回転中心ピン２２を回転軸として蓋１４が開閉する際に移動する移動ピン２４の軌道に沿って設けられ移動ピン２４の移動端位置を規制するガイド溝２４とが設けられている。【選択図】          図１
2005041563.tif 000002
【特許請求の範囲】
【請求項１】
筐体の上面開口部に、筐体の一方の側縁と他方の側縁に各々ヒンジ係合し、筐体の一方側と他方側に開閉可能に蓋が取り付けられた蓋の取り付け構造において、
前記筐体と蓋の各々に、筐体ヒンジ部と蓋ヒンジ部とが設けられ、
前記蓋ヒンジ部には、前記蓋の開閉方向と直交する方向に延びる回転中心ピンと、該回転中心ピンと平行に、所定距離離間して配置された移動ピンとが設けられ、
前記筐体ヒンジ部には、前記回転中心ピンおよび前記移動ピンを鉛直方向に導入し、前記蓋を筐体にセットした際に、前記回転中心ピンが当接する当接部が中途に設けられた導入溝と、前記導入溝と連通し、前記回転中心ピンを回転軸として前記蓋が開閉する際に移動する前記移動ピンの軌道に沿って設けられ前記移動ピンの移動端位置を規制するガイド溝とが設けられていることを特徴とする蓋の取り付け構造。
【請求項２】
前記回転中心ピンが、ローラからなることを特徴とする請求項１記載の蓋付き容器。
【請求項３】
前記移動ピンは前記回転中心ピンよりも小径に形成され、
前記導入溝には、前記移動ピンは通過し前記回転中心ピンが当接するように、中途位置が幅狭に形成された前記当接部が設けられていることを特徴とする請求項１または２記載の蓋の取り付け構造。
【発明の詳細な説明】
【技術分野】
【０００１】
本発明は、蓋の取り付け構造に関し、詳細には、筐体の上部に、筐体の一方側と他方側に開閉可能に蓋を取り付けるための蓋の取り付け構造に関する。
【背景技術】
【０００２】
筐体の上部に蓋が設けられている従来の装置としては、筐体開口部の一方の側縁に設けられた蝶番により蓋が開閉可能に取り付けられているものが知られている（例えば、特許文献１参照）。しかし、上記構成においては、作業者が蓋の開口する側と反対側にいる場合に、いちいち開口する側まで回り込む必要があるため、作業が非効率であるという問題がある。
一方、図６に示す装置１００ように、筐体１０２の上面に取り外し可能な蓋１０４を設けた場合には、作業の度に蓋を取り外さなければならないことから作業に時間がかかると共に、取り外した蓋を邪魔にならないように保管する場所も確保しなければならないという問題がある。
【特許文献１】特開平１１−２０８６９９号公報
【特許文献２】実開平５−８７１８２号公報
【発明の開示】
【発明が解決しようとする課題】
【０００３】
このことから、効率よく作業を行なうために、開口した筐体上面の対向する側縁の両側から開閉することができる蓋を取り付けることが考えられた。しかし、従来における両側開閉機構（例えば、特許文献２参照）においては、機構が複雑であると共に、筐体から蓋を簡単に取り外すことができない。このため、装置の組み立てが煩雑であり、また、蓋の取り外しが簡単にできないと、装置の調整やメンテナンス作業が好適に行えない場合がある。
【０００４】
そこで、本発明は、これらの課題を解決すべくなされたものであり、その目的とするところは、筐体の開口上面に設けた蓋を、開口部の対向する側縁の両側から開閉することができ、且つ簡単に取り外すことができる蓋の取り付け構造を提供することにある。
【課題を解決するための手段】
【０００５】
本発明は、上記目的を達成するため次の構成を備える。
すなわち、筐体の上面開口部に、筐体の一方の側縁と他方の側縁に各々ヒンジ係合し、筐体の一方側と他方側に開閉可能に蓋が取り付けられた蓋の取り付け構造において、前記筐体と蓋の各々に、筐体ヒンジ部と蓋ヒンジ部とが設けられ、前記蓋ヒンジ部には、前記蓋の開閉方向と直交する方向に延びる回転中心ピンと、該回転中心ピンと平行に、所定距離離間して配置された移動ピンとが設けられ、前記筐体ヒンジ部には、前記回転中心ピンおよび前記移動ピンを鉛直方向に導入し、前記蓋を筐体にセットした際に、前記回転中心ピンが当接する当接部が中途に設けられた導入溝と、前記導入溝と連通し、前記回転中心ピンを回転軸として前記蓋が開閉する際に移動する前記移動ピンの軌道に沿って設けられ前記移動ピンの移動端位置を規制するガイド溝とが設けられていることを特徴とする。
なお、本発明でいう筐体は、機器等が内臓されている箱体を意味するものではなく、ものを収容する容器や枠体等も含んだ概念で用いている。
【０００６】
また、前記回転中心ピンが、ローラからなることを特徴とする。
また、前記移動ピンは前記回転中心ピンよりも小径に形成され、前記導入溝には、前記移動ピンは通過し前記回転中心ピンが当接するように、中途位置が幅狭に形成された前記当接部が設けられていることを特徴とする。
【発明の効果】
【０００７】
本発明による蓋の取り付け構造によれば、上述する構成により、筐体の開口部の対向する側縁の両側から蓋を開閉することができると共に、簡単に蓋を取り外すことができる等の著効を奏する。
【発明を実施するための最良の形態】
【０００８】
以下、本発明にかかる蓋の取り付け構造を添付図面に基づいて詳細に説明する。なお、本実施形態においては、本発明にかかる蓋の取り付け構造を備えた物の一例として、筐体の上部に蓋が取り付けられた装置について説明する。
【０００９】
図１は、本実施形態における装置の筐体および筐体の上部に取り付けられた蓋の構成を示す正面図である。
本実施形態の装置１０は、上面が全面開口した筐体１２と、筐体１２の開口縁部に端縁部が当接する形状に形成された蓋１４とを備えており、蓋１４はヒンジ部１５ａ，１５ｂにより、筐体１２に対して開閉可能かつ脱着可能に取り付けられている。
筐体１２の上面開口部１２ａは、ヒンジ部１５ａ，１５ｂが設けられている対向する側縁が平行になるように形成されており、本実施形態においては平面形状が矩形状に設けられている。
【００１０】
図１に示すように、ヒンジ部１５ａ，１５ｂは、筐体開口部１２ａの対向する側縁の外側面に設けられた筐体ヒンジ部１６・・と、蓋１４の端縁部の外側面に設けられた蓋ヒンジ部１８とからなる。
この筐体ヒンジ部１６・・および蓋ヒンジ部１８・・は、筐体１２および蓋１４の一方側の側縁に２つずつ計４つ設けられており、蓋１４を筐体１２にセットした際に筐体ヒンジ部１６と蓋ヒンジ部１８とが係合するように形成されている。
【００１１】
図２は、図１に示す筐体１２の一方のヒンジ部１５ａの筐体ヒンジ部１６および蓋１４の蓋ヒンジ部１８を拡大して示す拡大正面図である。
図２(a)に示す筐体ヒンジ部１６は、導入溝２０およびガイド溝２１が形成されており、図２(b)に示す蓋ヒンジ部１８には、蓋１４の開閉方向と直交する方向に延びる、すなわち、筐体１２の側縁に沿って平行に延びる回転中心ピン２２と、回転中心ピン２２と平行に、所定距離離間して配置された移動ピン２４とが設けられている。
【００１２】
導入溝２０は、蓋１４の開閉方向と直交する方向に溝状に形成され、上部の開口部２０ａから鉛直下方に所定距離延出した形状に形成されている。この導入溝２０の中途には、蓋ヒンジ部１８の回転中心ピン２２が当接する当接部２０ｂが形成されている。当接部２０ｂは、回転中心ピン２２の外周形に倣った曲面に形成されており、開口部２０ａから当接部２０ｂまでの導入溝２０の幅寸法に比べて、当接部２０ｂから下方側の導入溝２０の幅寸法が幅狭に形成されているものである。これにより、導入溝２０の開口部２０ａから導入された移動ピン２４は当接部２０ｂを通過し、回転中心ピン２２が当接部２０ｂに当接し支持される。
【００１３】
当接部２０ｂに当接した回転中心ピン２２は、図１に示すように、蓋１４が開閉する際に開閉の中心軸となる。このため、本実施形態においては、蓋１４を開閉した際に回転中心ピン２２が回転して当接部２０ｂが摩耗しないように、回転中心ピン２２はローラによって形成されている。
【００１４】
図２に示すように、蓋ヒンジ部１８に設けられた移動ピン２４は、回転中心ピン２２よりも小径に形成され、蓋１４を筐体１２に取り付けた際に回転中心ピン２２の真下に位置するように設けられている。この移動ピン２４は、導入溝２０の開口部２０ａから導入され、回転中心ピン２２が導入溝２０の当接部２０ｂに当接した際に、導入溝２０の最下部２０ｃ（ただし、最下部２０ｃに当接しない位置）に配置されるように設けられている。
【００１５】
図３は、筐体ヒンジ部１６と蓋ヒンジ部１８とが係合した状態を示す拡大正面図である。
図３に示すように、導入溝２０には、導入溝２０の最下部２０ｃから筐体１２側へ湾曲して延出するガイド溝２１が導入溝２０に連通して設けられている。ガイド溝２１は、図示する回転中心ピン２２を中心軸として蓋１４を開閉させる際に、移動ピン２４が移動する軌跡に沿って円弧状に形成されているものである。このガイド溝２１は、蓋１４の開閉時に移動ピン２４をガイドすることにより、筐体ヒンジ部１６と蓋ヒンジ部１８の係合が外れないように設けられているものである。
また、このガイド溝２１の末端部２１ａは、図４に示すように、移動ピン２４の移動範囲を規制するストッパーのはたらきをする。このため、製造時にガイド溝２１の長さを適宜設定することで、蓋１４の最大開き角度を調節することができる。
【００１６】
本実施形態の筐体１２に設けられた４つのヒンジ部１５・・は、すべて上記と同様の構成に形成されている。これにより、図１に示すように、筐体１２に対して蓋１４を両側から開閉できると共に、簡単に蓋１４を取り外すことができる。以下に、蓋１４の取り付けおよび開閉動作について図１を基に説明する。
【００１７】
図１(a)および図１(b)に示すように、蓋１４を筐体１２にセットする際は、筐体１２の開口部１２ａに合わせて蓋１４を筐体１２の上方からから置くことで、筐体ヒンジ部１６と蓋ヒンジ部１８とを係合させて蓋１４をセットする。すなわち、蓋１４を筐体１２の真上から下ろすようにすることで、蓋ヒンジ部１８の回転中心ピン２２および移動ピン２４が鉛直方向に開口した導入溝２０の開口部２０ａから導入され、筐体１２の開口部１２ａと蓋１４の端縁部とが当接した際に、導入溝２０の当接部２０ｂと回転中心ピン２２とが当接した状態に設けられる。
【００１８】
筐体１２に取り付けられた蓋１４は、図１(c)および図１(d)に示すように、ヒンジ部１５ａ，１５ｂが設けられた筐体１２の対向する側縁の両側から開閉することができる。
すなわち、図１(c)のように、筐体１２の一方のヒンジ部１５ａ（図１に示す右側）が設けられた側から蓋１４を開ける場合、図５に示すように、ヒンジ部１５ａは、筐体ヒンジ部１６に対して蓋ヒンジ部１８が略鉛直方向に移動するようになることから、導入溝２０の当接部２０ｂに当接していた回転中心ピン２２が外れる。また、移動ピン２４も、当接部２０ｂより下方の導入溝２０が移動ピン２４の径よりも若干幅広に形成されているため引っ掛かることなく外れる。これにより、一方側から蓋１４を持ち上げると、一方のヒンジ部１５ａの係合は簡単に解除される。そして、一方のヒンジ部１５ａと対向する他方のヒンジ部１５ｂ（図１に示す左側）の回転中心ピン２２が蓋１４開閉の中心軸となることで、蓋１４を一方側に開閉することができる。
【００１９】
上記とは逆に他方のヒンジ部１５ｂが設けられている側を持ち上げた際には、上記と同様の作用で図１(d)のように蓋１４を反対側からも開閉することが可能である。
また、筐体１２に対して蓋１４を真上に持ち上げることで、回転中心ピン２２および移動ピン２４が導入溝２０から外れ、図１(b)に示すように、蓋１４を簡単に取り外すことができる。
さらに、蓋１４の開閉動作中においては、開閉の軸となる側のヒンジ部１５の移動ピン２４がガイド溝２１に入り込むため、ヒンジ部１５の係合が外れることなく開閉することができる。
【００２０】
このように、本実施形態の装置１０は、筐体１２に取り付けられた蓋１４が、筐体１２の開口部の対向する両側縁から開口することができると共に、簡単に脱着することができる。これにより、装置１０を挟んだ両側から蓋１４を開けて作業することができると共に、装置の調整やメンテナンスの際にも蓋１４を取り外して作業を行なうことができる。
【００２１】
なお、本実施形態においては、筐体１２開口部の一辺に対して、２つのヒンジ部を設けているものであるが、１つまたは３つ以上設けることであっても良い。
また、本実施形態において導入溝２０は、当接部２０ｂから下方を幅狭に形成し、回転中心ピン２２よりも小径に形成された移動ピン２４は通過し回転中心ピン２２が当接部２０ｂで当接するように設けているものである。しかし、本発明においては、導入溝に設けられた当接部の形態を上記形態に限定するものではない。例えば、導入溝の中途に回転中心ピンが当接する突起部を設けることであっても良く、また、当接部をなす導入溝の中途の一部分のみを幅狭に形成することでも良い。なお、本発明でいう当接部とは、導入溝の中途で回転中心ピンと当接して支持するように設けられている部位を指すものである。
【図面の簡単な説明】
【００２２】
【図１】本発明にかかる蓋の取り付け構造を備えた物の一実施形態である装置の構成を示す正面図である。
【図２】図１に示す筐体ヒンジ部および蓋ヒンジ部を拡大して示す拡大正面図である。
【図３】図２に示す筐体ヒンジ部と蓋ヒンジ部とが係合した状態を示す拡大正面図である。
【図４】図３に示す筐体ヒンジ部と蓋ヒンジ部との動作状態を示す拡大正面図である。
【図５】図１に示す蓋ヒンジ部が筐体ヒンジ部から外れる状態を示す拡大正面図である。
【図６】従来の蓋を有する筐体の一例を示す概略斜視図である。
【符号の説明】
【００２３】
１０  装置
１２  筐体
１４  蓋
１５  ヒンジ部
１６  筐体ヒンジ部
１８  蓋ヒンジ部
２０  導入溝
２１  ガイド溝
２２  回転中心ピン
２４  移動ピン
【図１】
2005041563.tif 000003
【図２】
2005041563.tif 000004
【図３】
2005041563.tif 000005
【図４】
2005041563.tif 000006
【図５】
2005041563.tif 000007
【図６】
2005041563.tif 000008